(57)【特許請求の範囲】
【請求項１】
毛髪のスタイリングが意図された装置（１）であって、
流体貯留器（１９）を備える基部（１０００）と、
前記基部（１０００）から離れ、流体蒸発手段（７）、および毛髪を対象とする蒸気分配手段（７’、７”）を備える携帯用ユニット（１００）と、
流体が通るように意図され、前記流体貯留器（１９）と前記流体蒸発手段（７）の間に配置された少なくとも１本のライン（２１５）を備えるコードセット（２１）と、
流体出力調節手段（６）を制御する制御ユニット（１３）と
を備え、
前記携帯用ユニット（１００）は、前記毛髪と接触することが意図された第１の処理表面（４）を備え、前記流体蒸発手段（７）は、前記携帯用ユニット（１００）内だけに設けられ、
前記携帯用ユニット（１００）は、開閉可能に構成され、
前記制御ユニット（１３）は、前記携帯用ユニット（１００）の開状態において前記第１の処理表面（４）が加熱された後に、前記携帯用ユニット（１００）の閉状態が検出された場合、前記毛髪に蒸気が吐出可能なように、前記流体出力調節手段（６）を制御して前記コードセット（２１）を介して前記流体貯留器（１９）から前記流体蒸発手段（７）に供給するように構成されている
ことを特徴とする装置（１）。
【請求項２】
前記携帯用ユニット（１００）は、前記第１の処理表面（４）を加熱する加熱手段（４１）を備えることを特徴とする請求項１に記載の装置。
【請求項３】
前記流体蒸発手段（７）は、蒸発チャンバおよび前記蒸発チャンバの加熱手段を備えることを特徴とする請求項１または請求項２に記載の装置。
【請求項４】
前記蒸気分配手段（７’、７”）は、前記第１の処理表面（４）に対して横方向に配置された一続きの蒸気出口オリフィスを有することを特徴とする請求項１から請求項３のいずれか一項に記載の装置。
【請求項５】
前記携帯用ユニットは、互いに面して配置された第１の顎部（２）および第２の顎部（３）を備え、前記第１の処理表面（４）は、前記第１の顎部（２）によって担持され、第２の処理表面（５）は、前記第２の顎部（３）によって担持され、前記顎部は、前記第１および第２の処理表面（４，５）が毛髪の房をクランプするように開位置から閉位置に進むようにして連結されることを特徴とする請求項１から請求項４のいずれか一項に記載の装置。
【請求項６】
前記第２の処理表面（５）を加熱する加熱手段（９）を備えることを特徴とする請求項５に記載の装置。
【請求項７】
前記毛髪を処理するための前記第１の処理表面（４）および前記第２の処理表面（５）は、平坦、湾曲または波形であり、前記装置の閉位置においてほぼ合わさる相補的表面であることを特徴とする請求項５または請求項６に記載の装置。
【請求項８】
流体ライン（２１１）は、柔軟な管状材料から構成されることを特徴とする請求項１から請求項７のいずれか一項に記載の装置。
【請求項９】
流体ライン（２１１）は、約０．５ｍｍと約３ｍｍの間の内径を有することを特徴とする請求項１から請求項８のいずれか一項に記載の装置。
【請求項１０】
第１の導線（２２２）を封入する第１の電気ケーブル（２１２）と、第２の導線（２２３）を封入する第２の電気ケーブル（２１３）とを少なくとも備え、２つのケーブル（２１２、２１３）は、シース（２１６）の内側にあり、電力を制御ユニット（１３）に供給することを可能にすることを特徴とする請求項１から請求項９のいずれか一項に記載の装置。
【請求項１１】
前記コードセット（２１）は、前記シース（２１６）の内側に、電力を少なくとも前記流体出力調節手段（６）に供給することを可能にする第３の導体２２４が封入された第３の電気ケーブル２１４を備えることを特徴とする請求項１０に記載の装置。
【請求項１２】
前記コードセット（２１）は、第３の導体２２４が封入された第３の電気ケーブル２１４を備え、前記第１のケーブルおよび第２のケーブルは、前記シース（２１６）の内側にあり、前記第３のケーブルは、シース２１６の外側にあり、電力を少なくとも前記流体出力調節手段（６）に供給することを可能にすることを特徴とする請求項１０に記載の装置。
【発明の詳細な説明】
【技術分野】
【０００１】
本発明は、蒸気を用い、毛髪との接触によってスタイリングするように意図された、詳細には人間の毛髪をストレート成形する、カーリングする、またはウエーブ付けするように意図された整髪装置に関する。
【背景技術】
【０００２】
ストレート成形、カーリング、またはウエーブ付けを可能にするヘアスタイリング装置の２つの従来のタイプが知られており、毛髪をクランプするその表面は、平坦、湾曲、または起伏付きのものであり、加熱されるまたは加熱するものである。
【０００３】
ストレート成形、カーリング、またはウエーブ付けのためのトングタイプ（ｔｏｎｇ−ｔｙｐｅ）の装置は、一般的に、２つの枢動する顎部を有し、その各々は、処理表面を担持する端部を備え、処理表面の少なくとも一方は、加熱され、他方は、具体的には毛髪の挿入を可能にする開いた顎部の位置から毛髪を加熱部と接触させるための閉位置に進むことによって、毛髪を第１のものと接触させるように意図される。
【０００４】
顎部の他方の端部は、把持領域として作用し、開位置から閉位置に進むことを可能にする２つのハーフハンドルを形成する。この移行は、装置の２つの連接されたハーフハンドルを互いに向かって押さえ付けることによって手動で行われて処理表面を毛髪と接触させる。毛髪の房のストレート成形は、装置をこの房に沿って根元から端部方向に移動させることによって行われる。毛髪の房のカーリングは、房を１つの処理表面または複数の処理表面の周りで少なくとも部分的に巻き、熱を掛けてカールを主として固定式にセットすることによって行われる。
【０００５】
毛髪のスタイリングを向上させるために、そのような装置内で、毛髪に放出された蒸気を使用することも実現される。
【０００６】
特許文献１は、基部内に離れて置かれた蒸気発生器を備えたカーリングアイロンについて記載している。蒸気は、全体的かつ単独で蒸気発生基部内で生成され、蒸気通路コードセットを介して携帯用ストレート成形器に運ばれてヘアスタイリング装置の穿孔部を介して出る。同様に、特許文献２は、毛髪をスタイリングするのに必要な蒸気のすべてのタイプを循環させることを可能にする外部の蒸気発生器を備えるヘアスタイリング装置について記載している。ヘアスタイリング装置をその基部に連結させるコードセット１３は、蒸気を運ぶためのホースを少なくとも備え、同じ組立体内には電気ケーブルが含まれる。これらの２つの文献では、蒸気は、基部内で形成され、コードセットを介して携帯用ストレート成形器に届けられる。これは、いくつかの欠点、詳細には凝縮効果を有する。形成され、ルーティングされた蒸気は、携帯用装置に至る供給ライン内で冷えることがあり、携帯用装置は、蒸気および高温水の混合物を排出することになり、この高温水は、ユーザの頭皮上に排出された場合危険である。
【０００７】
特許文献３は、出口において高温空気および／または蒸気および／またはミストを供給することができる外部ユニットを備えたヘアドライヤに関するということから、別のタイプのヘアスタイリング装置について記載している。基部ユニットは、水貯留器およびポンプを備え、このユニットは、携帯用ヘアドライヤにコードセットを介して液体を供給する貯留器を備える。蒸気は、ヘアドライヤ内でライン周りの加熱要素によって作り出され得る。しかし、この装置の目的は、ミストまたは蒸気を高温空気に加えることによって毛髪を脱水化させずに乾燥させることである。この装置の目的は、毛髪と接触することが意図された少なくとも１つの処理表面を用いることによって毛髪をスタイリングすることではない。
【０００８】
結果として、蒸気を用いて毛髪と接触することによるスタイリングのための装置において、小型で頑丈な自動式の複雑でない設計、ならびに温環境で機能することができ、連続的、または一定でもある、出力設定に従った蒸気出力を確実にすることができる安全対策を有するものはない。
【先行技術文献】
【特許文献】
【０００９】
【特許文献１】国際公開第２００７１４１２７６号パンフレット
【特許文献２】欧州特許第０６５９３６３号明細書
【特許文献３】米国特許第２００９０１８３３８２号明細書
【特許文献４】欧州特許第０６１９０８７号明細書
【特許文献５】欧州特許第２１６２１１４号明細書
【特許文献６】国際公開第２００８１２９１７２号パンフレット
【特許文献７】欧州特許第２１４５５５７号明細書
【発明の概要】
【課題を解決するための手段】
【００１０】
本発明の目的は、上述した欠点を少なくとも部分的に解決し、蒸気を用いて毛髪と接触することによってスタイリングし、小型の自動手段を備え、蒸気の連続的な出力を確実にすることができる装置を提案することである。
【００１１】
本発明の別の目的は、髪を蒸気に接触させた状態のスタイリング装置であって、少なくとも蒸気機能のパラメータを信頼高く制御することができる、スタイリング装置である。
【００１２】
本発明の別の目的は、髪を蒸気に接触させた状態のヘアスタイリング装置であって、制御設定に対応する蒸気の連続的で、一定でもある出力を確実にすることができるヘアスタイリング装置である。
【００１３】
本発明の別の目的は、髪を蒸気に接触させた状態のヘアスタイリング装置であって、その作動において堅固で頑丈であり、たとえば機械的変形に関して良好な耐久性を確実にするヘアスタイリング装置である。
【００１４】
本発明の別の目的は、髪を蒸気に接触させた状態のヘアスタイリング装置であって、その作動において効率的でありおよび／またはすばやい、ヘアスタイリング装置である。
【００１５】
本発明の別の目的は、髪を蒸気に接触させた状態のおよび／または流体分配を有するヘアスタイリング装置であって、その作動において漏れが無いヘアスタイリング装置である。
【００１６】
本発明の別の目的は、髪を蒸気に接触させた状態のヘアスタイリング装置であって、装置の位置に関わらず作動を確実にする、ヘアスタイリング装置である。
【００１７】
本発明の別の目的は、髪を蒸気に接触させた状態のヘアスタイリング装置であって、容易で実用的な使用を可能にするヘアスタイリング装置である。
【００１８】
本発明の別の目的は、髪を蒸気に接触させた状態のヘアスタイリング装置であって、その設計において簡単で安価であるヘアスタイリング装置である。
【００１９】
本発明の別の目的は、髪を蒸気に接触させた状態のヘアスタイリング装置であって、安全であり、高温の環境で機能することができるヘアスタイリング装置である。
【００２０】
これらの目的は、ヘアスタイリングが意図された装置であって、流体貯留器を備える基部と、基部から離れ、流体蒸発手段と、毛髪に向かうようになっている蒸気を分配する手段とを備える携帯用ユニットと、流体が通るように意図され、流体貯留器と蒸発手段の間に配置された少なくとも１本のラインを備えるコードセットとを備え、携帯用ユニットは、毛髪と接触することが意図された第１の処理表面を備え、流体を蒸発させる手段は、携帯用ユニット内だけに設けられる、装置によって達成される。
【００２１】
この装置は、ユーザに優しい方法で接触することによって毛髪をスタイリングすること、軽量であり、取り扱いが容易であるハンドルユニットを提供すること、上記で説明した凝縮効果を回避すること、軽量の基部を提供し、より安全な作動状態で使用できること、より安価な装置を提供すること、およびより良好に制御された蒸気出力を備えた装置を提供することを可能にする。このため、蒸発能力が増大する。
【００２２】
本発明によれば、携帯用ユニットは、第１の処理表面を加熱する加熱手段を備えることができる。したがって、ヘアスタイリングは、高温または加熱された処理表面との接触によってより効率的に実施される。
【００２３】
本発明によれば、流体蒸発手段は、蒸発チャンバと、蒸発チャンバを加熱する手段とを備えることができる。この設けられたチャンバは、具体的には、一様性および出力に関して、蒸気の高い収率を可能にし、流体の滴が装置を離れる前に蒸発しないことを防止することもできる。このため、たとえば直接的または間接的接触による熱伝導によって高温または加熱された処理表面を生み出すことができる。
【００２４】
本発明によれば、蒸気分配手段は、第１の処理表面に対して横方向に配置された一続きの蒸気出口オリフィスを呈することができる。このため、髪の房を２つの連続する処理にかけることができる。すなわち、蒸気により、また伸張されていないまたはクランプされていない毛髪のキューティクルを開き、毛髪に潤いを与えた後、接触による処理（ストレート成形、カーリング、またはウエーブ付けなど）が続き、この処理は、キューティクルが開かれ、毛髪に潤いを与えることによって向上される。
【００２５】
本発明によれば、携帯用ユニットは、互いの真向かいに配置された第１の顎部および第２の顎部を備え、第１の処理表面は、第１の顎部によって担持され、第２の処理表面は、第２の顎部によって担持され、顎部は、その表面が毛髪の房をクランプするように開位置から閉位置に進むようにして連結される。このため、処理される毛髪のクランプまたは挟み込みを実施して処理品質および速度を増大させることができる。得られた装置により、毛髪をクランプし、蒸気を毛髪に向かって蒸発させることが可能になる。
【００２６】
本発明によれば、装置は、第２の処理表面を加熱する加熱手段を備えることができる。したがって、処理は、一層向上される。
【００２７】
本発明によれば、第１および第２の毛髪処理表面は、装置の閉位置においてほぼ合わさる平坦、湾曲、または波形の相補的表面でよく、それによって毛髪をストレート成形する、カールする、または個々にウエーブ付けすることが可能になる。
【００２８】
本発明によれば、装置は、ユニットから離れた基部内に優先的に配置された流体出力を調整するための手段と、少なくとも流体出力調整手段を制御する制御ユニットとを備えることができる。このため、携帯用ユニットの入口で連続的で一定でもある流体出力を確実にすることができ、携帯用ユニットの重量を軽減することが可能になる。出力調整手段（たとえばポンプ）は、熱源、すなわち蒸発手段から距離があるため、高い温度にはさらされない。ポンプモータは、温度によって影響を受けず、そのチューブはいかなる弾性も失わない。
【００２９】
本発明によれば、流体ラインは、管状の可撓性材料から作製される。このため、ヘアスタイリングに必要なあらゆる位置で携帯用装置の使用を可能にする可撓性の柔軟なコードセットを実現することができる。
【００３０】
本発明によれば、流体ラインは、約０．５ｍｍと約３ｍｍの間の内径を有することができる。このため、１から５ｍｌ／分程度、またはさらには３ｍｌ／分から４ｍｌ／分の間、優先的には３．５ｍｌ／分に等しい、比較的連続的で比較的一定でもある流体出力を得ることができる。
【００３１】
本発明によれば、装置は、少なくとも第１の導線を封入する第１の電気ケーブルと、第２の導線を封入する第２の電気ケーブルとを備えることができ、２つのケーブルは、シース（ｓｈｅａｔｈ）の内側にあり、少なくとも制御ユニットに電力を供給することを可能にする。このため、すべての電気ケーブルおよび流体ラインを単一のシース内に有することができる。また、すべての制御電子装置を携帯用ユニット内に配置すること、取り扱いを向上させること、および装置の生産コストを低減することが可能になる。
【００３２】
本発明によれば、コードセットは、シース２１６内に、電力を少なくとも流体出力調整手段に供給することを可能にする、第３の導体２２４を封入する第３の電気ケーブル２１４を備える。このため、コードセット２１の直径を低減し、重量を軽減し、可撓性を増大させ、必要であれば二重の電気絶縁を確実にすることができる。代替策として、コードセットは、第３の導体を封入する第３の電気ケーブルを備えることができ、第１のケーブルおよび第２のケーブルはシース内にあり、第３のケーブルは、シースの外側にあり、少なくとも流体出力調節手段に電力を供給することを可能にする。
【００３３】
本発明によれば、コードセットは、少なくとも部分的にマルチワイヤ編組またはカプセル化からなる。このため、少なくとも水ライン、さらには電気ケーブルも可撓的に軽量化する方法で包含および含有することができる。
【図面の簡単な説明】
【００３４】
本発明は、非限定的に提供され、ここに示された実施形態を検討することによってより良好に理解される。
【図１】本発明による装置を示す図である。
【図２】本発明によるユニットおよび基部の長手方向断面図である。
【図３】本発明によるユニットの顎部の１つの横断方向断面図である。
【図４Ａ】本発明の変形形態によるコードセットの横断方向断面図である。
【図４Ｂ】本発明の変形形態によるコードセットの横断方向断面図である。
【図４Ｃ】本発明の変形形態によるコードセットの横断方向断面図である。
【発明を実施するための形態】
【００３５】
対応する番号参照を有する図１および２に示すように、本発明は、毛髪をスタイリングするように意図された装置１であって、主要流体貯留器１９を備える基部１０００と、流体蒸発手段７、毛髪を対象とする蒸気分配手段７’、７”を備える携帯用ユニット１００と、流体が通るように意図され、主要流体貯留器１９と蒸発手段７の間に配置された少なくとも１本のラインを備えるコードセット２１とを備え、携帯用ユニット１００は、毛髪と接触するように意図された第１の処理表面４を単独でまたは少なくとも備え、流体蒸発手段７は、携帯用ユニット１００内だけに設けられる、装置１に関する。基部は、携帯用ユニットから「離れている」と考えられており、作業面に置くことができる。基部は、携帯用装置またはハンドピース１００を使用しないときに受け入れる台座１００１を有し、固定された部分２０３１および流体を挿入するための可動式の枢動する部分２０３２を有するカバー２０３０を備え、カバーは、必要な場合に脱塩手段（カートリッジ）を取り換えるために完全に取り外し可能である。基部の１つの部分は、イオン交換樹脂が、もはや有効でないという理由で色が変わるときにユーザに視覚的に警告を与えることができるように透明になるように構築されてよい。基部は、基部内に導入された流体のカリウム含量を低減することができる脱塩手段２０００を備える。これらの脱塩手段２０００は、「生」流体を受け取る中間の貯留器２１００と、ヘアスタイリング装置１００を対象とする「精製された」流体を含む主要な貯留器１９の間に配置される。流体（水、または固定用の化粧製品と混合された水など）が通るように意図されたラインは、１５℃から３０℃の間の温度に貯留器内で保たれた流体を輸送することができる材料から作製される。材料は、シリコーン、または約３０℃までの温度に耐える安価なゴムから作製されてよく、必ずしも約１００℃の高温水または蒸気温度に耐えなくてよい。図３に示すように、携帯用ユニット１００は、第１の処理表面４を加熱する加熱手段４１を備える。これは、処理表面４に押さえ付けられ、または処理表面４を備える要素の内側に配置された正温度係数（ＰＴＣ）サーミスタまたはセラミックでよい加熱要素４１に関連し得る。流体蒸発手段７は、蒸発チャンバ７’と、蒸発チャンバ７’の加熱手段８とを備える。１つのチャンバまたは複数のチャンバは、アルミニウムから構築され、蒸発気分配オリフィス７”を備えることができ、加熱要素８に対して直接的または間接的に接触して押さえ付けられてよい。加熱要素８の適正な圧砕、したがってその最適な機能は、たとえば板ばね７”’によって行われる。温度センサ１０が、水入口２１’の上方に優先的に配置され得る。蒸発チャンバの加熱要素８は、少なくとも、壁の１つに押さえ付けられ、もしくは処理表面を形成する要素の内側に配置されたＰＴＣサーミスタまたはセラミックになり得る加熱要素でよく、これらは、処理表面の加熱手段と同一または別個のものである。
【００３６】
蒸発気分配手段（７’、７”）は、第１の処理表面４上の横方向に、好ましくは処理表面４からわずかに後方に配置された一続きの蒸発気出口オリフィス７”を有する。代替策として、または追加的に、蒸発気分配手段（７’、７”）は、処理表面上に配置された一続きのオリフィスを有する。蒸発気の出力速度は、約３ｇ／分から４ｇ／分、またはむしろ３．５ｇ／分にほぼ等しい。携帯用ユニット１００は、互いに面して配置された第１の顎部２および第２の顎部３を備え、第１の処理表面４は、第１の顎部２によって担持され、第２の処理表面５は、第２の顎部３によって担持され、顎部は、表面（４、５）が毛髪の房をクランプするように開位置から閉位置に進むようにして連結される。
【００３７】
装置は、第１の処理表面４用のものと同じタイプの第２の処理表面５を加熱する加熱手段９を有する。第１の毛髪処理表面４および第２の毛髪処理表面５は、本明細書では、装置の閉位置ではほぼ合わさる平坦なものとして図示する相補的表面であるが、湾曲または波形のものでもよい。たとえば例示の目的で引用した特許文献４または特許文献５で説明された湾曲表面を備えたカーリング装置もまた、本発明の影響を受ける。カーリング装置は、主要本体と、把持手段と、好ましくは主要本体上にその長手方向軸の周りを自由に回転するように装着された、毛髪の房を巻くための本体と、本体上で髪の房をクランプする少なくとも可動式クランプとを備え（かつ）それらに基づいて構成された、好ましくは手動操作式の処理および／またはヘアスタイリング装置に関する。ウエーブ付け装置は、たとえば特許文献６に記載された、互いに面し、非平面の処理表面を各々が有する、２つの顎部を装備する装置である。
【００３８】
好ましくは離れた基部内に配置された、たとえば好ましくは蠕動のモータ６’で作動される流体出力調節手段６と、少なくとも流体出力調節手段６を制御するための制御ユニット１３が設けられる。流体（水または固定用の化粧製品で混合された水など）用のラインは、柔軟な管状材料、すなわち１５℃から３０℃の間の温度で貯留器内に保たれた流体を輸送することができる材料から構成される。
【００３９】
材料は、安価で、約３０℃までの温度に耐えることができ、必ずしも約１００℃の加熱された水または蒸気温度に耐える能力を有する必要がない、シリコーンまたはゴムまたはＥＰＤＭ（エチレンプロピレンジエンモノマー）などのエラストマーまたはＴＰＶなどの熱可塑性エラストマーから作製されてよい。材料は、低圧（約１０００ミリバールの大気圧）に耐えるのに適しているが、蒸気が通ることによって及ぼされる４バールまでの圧力に対する耐性を必ずしも有する必要はない。
【００４０】
図４Ａ、４Ｂ、４Ｃに示すように、流体ライン２１１は、好ましくはほぼ一定の、約０．５ｍｍから約３ｍｍ、好ましくは１ｍｍから２．４ｍｍ、好ましくは１．２ｍｍに等しい内径を有する。これにより、圧力降下無しの少量の水出力が可能になる。コードセットの長さは、１ｍから５ｍの範囲内にあり、好ましくは約３ｍに等しい。少なくとも第１の電気ケーブル２１２は、第１のワイヤ２２２を封入し、第２の電気ケーブル２１２は、第２のワイヤ２２３を封入し、２つのケーブルは、コードセット２１の内側にあり、少なくとも制御ユニット１３、また蒸発チャンバの加熱要素および処理表面にも電力を供給する。これらの２つの導体は、そのそれぞれのケーブル２１３および２２３ならびにシース２１６によって二重に絶縁されるために、その中に２３０Ｖの電圧を通すことを可能にする。第１の導体２１２は、相導体であり、第２の導体２１３は、中性導体である。
【００４１】
図４Ａでは、コードセット２１は、中性導体として使用される第３の導体２２４を封入する第３の電気ケーブル２１４を備える。この第３のケーブル２１４および２つのケーブル２１２および２１３は、低電圧ポンプ（８Ｖ）に電力を供給するために使用され、それによって中性導体として使用される導体は、２２０Ｖ電圧に対して、またそれと同時に低電圧に対して使用されるために、導体用の空間をより多く有することが可能になる。
【００４２】
図４Ａの代替策として、かつ図４Ｂに示すように、コードセット２１は、第３の導体２２４を封入する第３の電気ケーブル２１４を備え、第１のケーブルおよび第２のケーブルは、シース２１６の内側にあり、第３のケーブルは、シース２１６の外側にある。中性導体として使用されるこの第３のケーブル２１４および２つのケーブル２１２および２１３は、低電圧ポンプ（８Ｖ）に電力を供給するために使用され、それによって中性導体として使用される導体は、２２０電圧に対して、またそれと同時に低電圧に対して使用されるために、導体用の空間をより多く有することが可能になる。第３のケーブルは、シースの内側にないが、これは、８Ｖに対しては二重絶縁は必要でないためである。
【００４３】
図４Ｂの代替策として、かつ図４Ｃに示すように、第３の導体２２４が、２２０Ｖの電力を供給するために使用される場合、二重絶縁２２４’および２２４”内に配置されてよい。
【００４４】
コードセットは、少なくとも水ラインおよびさらには電気ケーブルの編み込み、たとえば編組化および／またはカプセル化から少なくとも部分的に構成される。すべての導体は、二重に絶縁される。他の導体が、離れた照明または当業者の理解範囲における他の任意の離れた用途のために設けられてよい。
【００４５】
図４Ａ、４Ｂ、および４Ｃに示す本発明の詳細な形態によれば、流体ライン２１５は、１．２ｍｍの内径、３．２ｍｍの外径を有し、電気ケーブルは、１ｍｍの内径および２．４ｍｍの外径を有し、ケーブルは、６．８ｍｍの外径を有するシース２１６の内側にあり、そのすべては、０．３ｍｍに等しい厚さを有する編組内にあり、その最大高さは、１０．６ｍｍであり、最小厚さは、７．４ｍｍであり、流体ラインの中心とケーブル組立体の中心の間の距離は５．０ｍｍである。
【００４６】
装置は、開位置からの進行および／または閉位置への移行のための検出手段（１４、１８）を有し、制御ユニットは、検出手段（１４、１８）から信号を受け入れ、信号に応答して少なくともポンプ６を制御するようにプログラミングされる。検出手段（１４、１８）は、好ましくは、開位置に進むことおよび／または閉位置に進むことの検出の磁気手段（１４、１８）でよい。これらは、磁気断続器、好ましくは、第１の顎部２内に配置されたばね仕掛けの磁気断続器１４、２つの位置の１つにおいて断続器１４上で作用するようにして第２の顎部３内に配置された磁石１８を備える。
【００４７】
第１の顎部２および第２の顎部３は、ヒンジタイプの連接部２０によって連結され、２つの顎部の最大開口角度（α）は、５°から６０°の間、または１０°から２０°の間、好ましくは約１５°に等しい。さらに、本明細書に依然として示す装置は、「開いた」待機位置にあるが、参照の目的で、かつヘアスタイリング装置を説明するために本明細書に含まれた特許文献７に記載されたように、「閉じた」待機位置であってもよく、このヘアスタイリング装置は、各々がその端部に、少なくとも１つが加熱要素を有する処理表面を担持する２つの顎部を備え、前記顎部は、２つの処理表面の間に毛髪を挿入することを可能にする開位置と、毛髪が２つの処理表面に接触する閉位置との間のヒンジの周りで他方の端部上に枢動式に装着され、前記顎部は、処理表面の圧力の施与を引き起こす２つのハーフグリップの連接によって開位置から閉位置に進む。処理表面を有する２つの顎部の枢動軸は、（本明細書で示したように）顎部の端部に置かれてよく、または顎部のほぼ中間に置かれて「はさみ」タイプの連接を装置にもたらしてよい。
【００４８】
温度検出手段１０は、蒸発手段７の温度を示す値を測定し、制御ユニットは、温度検出手段１０から信号を受け取り、その信号に応答して少なくとも蠕動ポンプ６を制御するようにプログラミングされ得る。温度検出手段は、サーミスタ、好ましくは負温度係数（ＮＴＣ）サーミスタを備えることができる。サーミスタは、加熱の調節を確実にすることができる。
【００４９】
本発明の作動の説明
作動中、装置がオンになったとき、サーミスタタイプの正温度係数（ＰＴＣ）またはセラミック加熱要素が、毛髪と接触するように意図された表面を加熱し始め、別個の加熱要素（または同じ加熱要素）が、蒸発手段７を加熱し始める。ユーザは装置を握り、処理される毛髪の房をクランプするようにこれを当てる。開位置から閉位置に位置が進み、閉状態の検出、たとえば磁気検出が実行され、信号が制御ユニット（ＣＰＵ）に伝送され、制御ユニット（ＣＰＵ）は、この信号に応答して、基部ユニットのポンプ８を制御し、このポンプは、コードセット２１を介して液体貯留器１９から蒸発手段に供給し、それによってユニット内に蒸気を生み出し、この蒸気は、蒸気分配手段を介して取り出されて毛髪の処理された房と接触するようになる。試験では、観察された蒸気出力は、約３ｇ／分から４ｇ／分の間、または３．５ｇ／分にほぼ等しかった。
【００５０】
本発明の利点
本発明は、多くの利益をもたらし、その一部は、
−小型の自動手段を備え、連続的な蒸気出力を確実にすることができ、
−安全および信頼高く作動し、高温の環境で機能することができ、
−蒸発気の連続的で一定の出力を確実にすることができ、
−作動において堅固で頑丈であり、良好な耐久性を確実にし、
−作動において効果的でありおよび／またはすばやい、
−作動において漏れが無い、
−装置のいかなる位置でも作動を確実にし、
−容易で実用的な使用を可能にし、
−簡単でコスト効果の高い方法で構築され、
−簡易化された構造を備え、
−工業的に低コストで生産され、
−作動において堅固、頑丈であり、たとえば機械的変形に関して良好な耐久性を確実にし、
−作動において効果的でありおよび／またはすばやい、
−作動において漏れが無い、
−使用が容易で実用的であり、毛髪房の配置の最適な状態のもとでの機能性を備え、
−すばやい毛髪処理を可能にし、
−望ましくない摩擦がより少ない、
−処理の効果性を増大させるために、装置を完全に閉じるまたは開くわずかに前に要素を作動させることができ、
−構成要素を作動させるためにハウジングの機械的変形に依存することはもはやなく、
−（装置）を閉じるまたは開くことにユーザによって及ぼされる力に関連する寄生性の力をそれ以上必要とすることはもはやない
装置を提供する。
【００５１】
明確なことに、本発明は、説明および図示した、例示目的で提供したにすぎない実施形態に全く限定されない。特にさまざまな要素の構成に関してまたは等価の方法を代用することにより、改変も依然として可能であるが、本発明の保護範囲を離れないものとする。
【図１】
0006392813.tif 000002
【図２】
0006392813.tif 000003
【図３】
0006392813.tif 000004
【図４Ａ】
0006392813.tif 000005
【図４Ｂ】
0006392813.tif 000006
【図４Ｃ】
0006392813.tif 000007